(57)【特許請求の範囲】
【請求項１】
各ゴルフクラブがシャフトの先端部と基端部にヘッドとグリップをそれぞれ固定して構成された、番手が異なる複数本のゴルフクラブを有するゴルフクラブセットにおいて、
前記複数本のゴルフクラブのグリップ慣性モーメントは、その番手にかかわらず略一定であること；
前記複数本のゴルフクラブのヘッド慣性モーメントは、その番手が大きくなるに連れて減少すること；
前記複数本のゴルフクラブのシャフト慣性モーメントは、その番手が大きくなるに連れて増加すること；
前記ヘッド慣性モーメントの減少分と前記シャフト慣性モーメントの増加分が略相殺されることで、前記複数本のゴルフクラブのクラブ慣性モーメントが略同一となっていること；及び
前記複数本のゴルフクラブを構成する複数本のゴルフクラブシャフトは、その番手が大きくなるに連れて、シャフト重量が増加し且つシャフト重心位置がシャフト先端側に移動すること；
を特徴とするゴルフクラブセット。
【請求項２】
請求項１記載のゴルフクラブセットにおいて、
前記複数本のゴルフクラブのうちの１本を選択して基準ゴルフクラブとしたとき、当該基準ゴルフクラブと残りの任意のゴルフクラブが次の条件式（１）を満足するゴルフクラブセット。
（１）０．９９５Ｘ＜Ｙ＜１．００５Ｘ
但し、
Ｘ：基準ゴルフクラブのクラブ慣性モーメント（ＭＯＩ［ｋｇ・ｃｍ2］）、
Ｙ：残りの任意のゴルフクラブのクラブ慣性モーメント（ＭＯＩ［ｋｇ・ｃｍ2］）。
【請求項３】
請求項１または２記載のゴルフクラブセットにおいて、
前記複数本のゴルフクラブシャフトは、少なくともその一部が、そのシャフト先端側に、その番手が大きくなるに連れて重量が増加する金属円筒と金属箔の一方または双方を有しているゴルフクラブセット。
【請求項４】
請求項１ないし３のいずれか１項記載のゴルフクラブセットにおいて、
前記複数本のゴルフクラブは、少なくとも５番アイアンから１０番アイアンまでの６本のアイアンクラブを含んでいるアイアンクラブセット。
【発明の詳細な説明】
【技術分野】
【０００１】
本発明は、ゴルフクラブセットに関する。
【背景技術】
【０００２】
ゴルフクラブセット（例えばアイアンセット）は、番手が異なる複数本のゴルフクラブ（例えば５番アイアンから１０番アイアン）を有している。番手が異なるゴルフクラブは、通常、長さとクラブ総重量（シャフト長さとヘッド重量）が異なる。
【０００３】
従来のゴルフクラブセットは、一般的に、長さとクラブ総重量が異なる全番手のスイングウエイト（スイングバランス）が略同一となるように、シャフト及びヘッドを選択して組み立てている。スイングウエイトは、ゴルフクラブのヘッドの利き具合（スイングやワッグルの際にヘッドの重量感をどれだけ感じやすいか）を示す数値とされており、バランスが重いゴルフクラブほど、ヘッドの重量感を感じ易く、バランスが軽いゴルフクラブほど、ヘッドの重量感を感じ難い。
【０００４】
スイングウエイトとは別の指標として、クラブ慣性モーメント（ＭＯＩ［ｋｇ・ｃｍ2］）が知られている。クラブ慣性モーメントは、ヘッド、シャフト、グリップそれぞれのグリップエンドからの慣性モーメントの総和として定義されており、ゴルフクラブの振り心地を示す指標として用いられている。一般的な傾向として、クラブ慣性モーメントが大きくなるほど振り難く、クラブ慣性モーメントが小さくなるほど振り易い、と言われている。
【先行技術文献】
【特許文献】
【０００５】
【特許文献１】特開平１１−２８５５５０号公報
【特許文献２】特開２００１−８７４２４号公報
【発明の概要】
【発明が解決しようとする課題】
【０００６】
本発明者らは、ゴルフクラブ単体ではなく、ゴルフクラブセットの共通の新たな指標として、クラブ慣性モーメント（ＭＯＩ［ｋｇ・ｃｍ2］）を用いると、ゴルフクラブセットの各ゴルフクラブの振りやすさを揃えることができるという着眼に基づいて本発明を完成するに至った。すなわち、本発明者らによれば、クラブ慣性モーメントは、単体のゴルフクラブ毎の大小よりも（もさることながら）、ゴルフクラブセット全体で揃っている方が、プレイヤーにとっては振りやすいゴルフクラブセットと評価されることを見出したのである。
【０００７】
単にスイングウエイトを揃えることに注力した従来のゴルフクラブセットでは、クラブ慣性モーメントを揃えることは困難である。従来のスイングウエイトを揃えたゴルフクラブセットの各ゴルフクラブは、その番手が大きく（小さく）なるに連れてクラブ慣性モーメント（ＭＯＩ［ｋｇ・ｃｍ2］）が小さく（大きく）なっている。つまり従来のゴルフクラブセットは、ゴルフクラブの番手によって、クラブ慣性モーメント（すなわち振り心地）が変わってしまっているのが実情であった。これが、番手による得手不得手（特に小さい番手のクラブを苦手とする）の原因の一つではないかと推測される。
【０００８】
本発明は、以上の問題意識に基づいてなされたものであり、ゴルフクラブの番手にかかわらず、プレイヤーにとって好適な安定したスイング感覚を得ることができるゴルフクラブセットを得ることを目的とする。
【課題を解決するための手段】
【０００９】
本発明者らは、鋭意研究の結果、クラブ慣性モーメントが大きく（小さく）なるほど振り難い（振り易い）という一般的な傾向から離れて、個々のプレイヤーに目を向けたとき、番手が異なってもクラブ慣性モーメントが同じであることが、番手による得手不得手をなくした好適な安定したスイング感覚を得るために重要であることを見出した。本発明は、ゴルフクラブセットの各ゴルフクラブのクラブ慣性モーメントの値を揃えることをコンセプトとして完成されたものである。勿論、クラブ慣性モーメントの値自体は、個々のプレイヤーによって区々となる。
【００１０】
本発明のゴルフクラブセットは、各ゴルフクラブがシャフトの先端部と基端部にヘッドとグリップをそれぞれ固定して構成された、番手が異なる複数本のゴルフクラブを有するゴルフクラブセットにおいて、前記複数本のゴルフクラブのグリップ慣性モーメントは、その番手にかかわらず略一定であること；前記複数本のゴルフクラブのヘッド慣性モーメントは、その番手が大きくなるに連れて減少すること；前記複数本のゴルフクラブのシャフト慣性モーメントは、その番手が大きくなるに連れて増加すること；前記ヘッド慣性モーメントの減少分と前記シャフト慣性モーメントの増加分が略相殺されることで、前記複数本のゴルフクラブのクラブ慣性モーメントが略同一となっていること；及び前記複数本のゴルフクラブを構成する複数本のゴルフクラブシャフトは、その番手が大きくなるに連れて、シャフト重量が増加し且つシャフト重心位置がシャフト先端側に移動すること；を特徴としている。
【００１１】
前記複数本のゴルフクラブのうちの１本を選択して基準ゴルフクラブとしたとき、当該基準ゴルフクラブと残りの任意のゴルフクラブが次の条件式（１）を満足することが好ましい。
（１）０．９９５Ｘ＜Ｙ＜１．００５Ｘ
但し、
Ｘ：基準ゴルフクラブのクラブ慣性モーメント（ＭＯＩ［ｋｇ・ｃｍ2］）、
Ｙ：残りの任意のゴルフクラブのクラブ慣性モーメント（ＭＯＩ［ｋｇ・ｃｍ2］）、
である。
【００１２】
本発明のゴルフクラブセットは、条件式（１）が規定する条件式範囲の中でも、次の条件式（１’）を満足することが好ましい。
（１’）０．９９８Ｘ＜Ｙ＜１．００２Ｘ
【００１３】
前記複数本のゴルフクラブシャフトは、少なくともその一部が、そのシャフト先端側に、その番手が大きくなるに連れて重量が増加する金属円筒と金属箔の一方または双方を有することができる。
【００１４】
前記複数本のゴルフクラブは、少なくとも５番アイアンから１０番アイアンまでの６本のアイアンクラブを含むことができる。
【発明の効果】
【００２０】
本発明によれば、ゴルフクラブの番手にかかわらず、プレイヤーにとって好適な安定したスイング感覚を得ることができるゴルフクラブセットが得られる。
【図面の簡単な説明】
【００２１】
【図１】本発明の一実施形態に係るゴルフクラブセット及びゴルフクラブシャフトセットを示す概念図である。
【図２】ゴルフクラブのクラブ慣性モーメントの算出方法を説明するための概念図である。
【図３】５番シャフトの詳細構造を示す図である。
【図４】６番シャフトの詳細構造を示す図である。
【図５】７番シャフトの詳細構造を示す図である。
【図６】８番シャフトの詳細構造を示す図である。
【図７】９番シャフトの詳細構造を示す図である。
【図８】１０番シャフトの詳細構造を示す図である。
【図９】本発明によるゴルフクラブセットのクラブ慣性モーメント、本発明によるゴルフクラブセットのヘッド単体のヘッド慣性モーメント、及び、従来のスチール製のゴルフクラブセットのクラブ慣性モーメントを比較可能に示した図である。
【図１０】本発明によるゴルフクラブシャフトセットのシャフト慣性モーメント、従来のスチール製のゴルフクラブシャフトセットのシャフト慣性モーメント、及び、従来のカーボン製のゴルフクラブシャフトセットのシャフト慣性モーメントを比較可能に示した図である。
【図１１】本発明の第１態様によるゴルフクラブシャフトセットの各シャフトの重量、及び、本発明の第２態様によるゴルフクラブシャフトセットの各シャフトの重量を比較可能に示した図である。
【発明を実施するための形態】
【００２２】
図１は、本発明の一実施形態に係るゴルフクラブセット及びゴルフクラブシャフトセットを示す概念図である。同概念図では、左（右）から右（左）に向かうに連れてゴルフクラブ及びゴルフクラブシャフトの番手が大きく（小さく）なるように描いている。
【００２３】
本実施形態のゴルフクラブセットは、５番アイアン５Ｉ、６番アイアン６Ｉ、７番アイアン７Ｉ、８番アイアン８Ｉ、９番アイアン９Ｉ及び１０番アイアン（ピッチング）１０Ｉ（Ｐ）を有するアイアンクラブセットである。各アイアンクラブは、シャフトの先端部と基端部にヘッドとグリップをそれぞれ固定して構成されている。
【００２４】
５番アイアン５Ｉを構成するヘッド、シャフト、グリップにそれぞれ５Ｈ、５Ｓ、５Ｇの符号を付している。以下ではシャフト５Ｓを５番シャフトと呼ぶ。
６番アイアン６Ｉを構成するヘッド、シャフト、グリップにそれぞれ６Ｈ、６Ｓ、６Ｇの符号を付している。以下ではシャフト６Ｓを６番シャフトと呼ぶ。
７番アイアン７Ｉを構成するヘッド、シャフト、グリップにそれぞれ７Ｈ、７Ｓ、７Ｇの符号を付している。以下ではシャフト７Ｓを７番シャフトと呼ぶ。
８番アイアン８Ｉを構成するヘッド、シャフト、グリップにそれぞれ８Ｈ、８Ｓ、８Ｇの符号を付している。以下ではシャフト８Ｓを８番シャフトと呼ぶ。
９番アイアン９Ｉを構成するヘッド、シャフト、グリップにそれぞれ９Ｈ、９Ｓ、９Ｇの符号を付している。以下ではシャフト９Ｓを９番シャフトと呼ぶ。
１０番アイアン１０Ｉを構成するヘッド、シャフト、グリップにそれぞれ１０Ｈ、１０Ｓ、１０Ｇの符号を付している。以下ではシャフト１０Ｓを１０番シャフトと呼ぶ。
このように本実施形態のゴルフクラブセットは、５番シャフト５Ｓ、６番シャフト６Ｓ、７番シャフト７Ｓ、８番シャフト８Ｓ、９番シャフト９Ｓ及び１０番シャフト１０Ｓを有するアイアンシャフトセットである。
【００２５】
表１は、本実施形態のゴルフクラブセット及びゴルフクラブシャフトセットの各種パラメータを示している。
クラブ長さＬは、番手が大きくなるに連れて、減少（漸減）している。
ヘッド重量ＷHは、番手が大きくなるに連れて、増加（漸増）している。
シャフト重量ＷSは、番手が大きくなるに連れて、増加（漸増）している。
シャフト重心位置ＧＣＬは、シャフト全長に対してシャフト重心位置がシャフト先端から何％の位置にあるかで表現している。シャフト重心位置ＧＣＬは、番手が大きくなるに連れて、シャフト先端側に徐々に（番手が１つ大きくなる度にシャフト全長の０．５％ずつ）移動している。
グリップ重量ＷGは、番手にかかわらず、一定である。
クラブ重量ＷTは、番手が大きくなるに連れて、増加（漸増）している。
【表１】
0005909003.tif 000002
【００２６】
図２は、ゴルフクラブのクラブ慣性モーメント（ＭＯＩ［ｋｇ・ｃｍ2］）の算出方法を説明するための概念図である。
同図に示すように、ゴルフクラブのクラブ慣性モーメントＭＯＩTは、当該ゴルフクラブを構成するヘッド、シャフト、グリップの慣性モーメントＭＯＩH、ＭＯＩS、ＭＯＩGの総和によって算出される。（ＭＯＩT＝ＭＯＩH＋ＭＯＩS＋ＭＯＩG）
ヘッド慣性モーメントＭＯＩHは、ヘッド重量ＷHに、クラブ基端部からヘッド重心位置までの距離ＬHを二乗したものを乗じることによって算出される。（ＭＯＩH＝ＷH×（ＬH）2）
シャフト慣性モーメントＭＯＩSは、シャフト重量ＷSに、クラブ基端部からシャフト重心位置までの距離ＬSを二乗したものを乗じることによって算出される。（ＭＯＩS＝ＷS×（ＬS）2）
グリップ慣性モーメントＭＯＩGは、グリップ重量ＷGに、クラブ基端部からグリップ重心位置までの距離ＬGを二乗したものを乗じることによって算出される。（ＭＯＩG＝ＷG×（ＬG）2）
【００２７】
表２は、本実施形態のゴルフクラブセットを構成する各ゴルフクラブのクラブ慣性モーメント（ＭＯＩ［ｋｇ・ｃｍ2］）を示している。
【表２】
0005909003.tif 000003
【００２８】
表２に示すように、本実施形態のゴルフクラブセットは、５番アイアン５Ｉ〜１０番アイアン１０Ｉのうちの１本を選択して基準ゴルフクラブとしたとき、当該基準ゴルフクラブと残りの任意のゴルフクラブが次の条件式（１）を満足している。
（１）０．９９５Ｘ＜Ｙ＜１．００５Ｘ
但し、
Ｘ：基準ゴルフクラブのクラブ慣性モーメント（ＭＯＩ［ｋｇ・ｃｍ2］）、
Ｙ：残りの任意のゴルフクラブのクラブ慣性モーメント（ＭＯＩ［ｋｇ・ｃｍ2］）、である。
【００２９】
すなわち、本実施形態のゴルフクラブセットは、５番アイアン５Ｉ〜１０番アイアン１０Ｉのクラブ慣性モーメントが、いずれのゴルフクラブを基準としたときにも±０．５％の範囲内に揃えられている（集約されている）。
【００３０】
条件式（１）を満足することにより、ゴルフクラブの番手にかかわらず、プレイヤーにとって好適な安定したスイング感覚を得ることができる。
条件式（１）の上限を上回っても下限を下回っても、ゴルフクラブの番手によるクラブ慣性モーメントのばらつきが大きくなりすぎて、プレイヤーにとって好適な安定したスイング感覚を得るのが難しくなってしまう。
【００３１】
上記の作用効果は、次の条件式（１’）を満足することでより顕著に得ることができる。この条件式（１’）は、５番アイアン５Ｉ〜１０番アイアン１０Ｉのクラブ慣性モーメントが、いずれのゴルフクラブを基準としたときにも±０．２％の範囲内に揃えられている（集約されている）ことを意味している。
（１’）０．９９８Ｘ＜Ｙ＜１．００２Ｘ
【００３２】
また、表２からは、５番アイアン５Ｉ〜１０番アイアン１０Ｉのヘッド慣性モーメントＭＯＩH、シャフト慣性モーメントＭＯＩS、グリップ慣性モーメントＭＯＩG、クラブ慣性モーメントＭＯＩTの間に、次のような関係があることが分かる。
グリップ慣性モーメントＭＯＩGは、クラブの番手にかかわらず一定（略一定で少しだけずれていてもよい）となっている。
ヘッド慣性モーメントＭＯＩHは、クラブの番手が大きくなるに連れて減少している。
シャフト慣性モーメントＭＯＩSは、クラブの番手が大きくなるに連れて増加している。
そして、クラブの全番手を通じて、ヘッド慣性モーメントＭＯＩHの減少分とシャフト慣性モーメントＭＯＩSの増加分が略相殺されることで、クラブ慣性モーメントＭＯＩTが略同一となっている。
【００３３】
ゴルフクラブシャフトセット及びシャフト単体に注目すると、５番シャフト５Ｓ〜１０番シャフト１０Ｓは、その番手が大きくなるに連れて、シャフト重量が増加し且つシャフト重心位置がシャフト先端側に移動している。
【００３４】
これを実現するために、本実施形態では、シャフト先端側に、クラブの番手が大きくなるに連れて重量が増加する金属円筒と金属箔を埋め込む技術を採用している。
【００３５】
以下では、図３−図８を参照して、５番シャフト５Ｓ〜１０番シャフト１０Ｓの詳細構造を説明する。５番シャフト５Ｓ〜１０番シャフト１０Ｓは、強化繊維に熱硬化性樹脂を含浸させたプリプレグを複数層巻回し熱硬化させてなるＦＲＰ（Fiber Reinforced Plastics：繊維強化プラスチック）製である。
【００３６】
５番シャフト５Ｓ〜１０番シャフト１０Ｓは、共通する構成要素（シート長さとシート重量は異なる）として、内層側から外層側に向かって順に、プリプレグＰ１、Ｐ２、Ｐ３、Ｐ４、Ｐ５、Ｐ６、Ｐ７を有している。
プリプレグＰ１は、シャフト先端部に巻かれる先端部分層であり、繊維方向がシャフト長手方向と平行をなす０°プリプレグである。
プリプレグＰ２、Ｐ３は、シャフト全長に巻かれる全長層であり、繊維方向がシャフト長手方向に対して対称（本実施形態では±４５°）をなすバイアスプリプレグである。
プリプレグＰ４、Ｐ５、Ｐ６は、シャフト全長に巻かれる全長層であり、繊維方向がシャフト長手方向と平行をなす０°プリプレグである。
プリプレグＰ７は、シャフト先端部に巻かれる先端部分層であり、繊維方向がシャフト長手方向と平行をなす０°プリプレグである。
【００３７】
５番シャフト５Ｓ〜１０番シャフト１０Ｓは、最内層のシャフト先端部に埋め込まれた金属円筒ＭＣを有している。金属円筒ＭＣは、例えば、鉄、アルミニウム、タングステン等の材料から構成されている。金属円筒ＭＣは、クラブの番手が大きくなるに連れてその重量が増加する（５番シャフト５Ｓでは４．９５ｇ、６番シャフト６Ｓでは５．５０ｇ、７番シャフト７Ｓでは６．０５ｇ、８番シャフト８Ｓでは６．６０ｇ、９番シャフト９Ｓでは８．２５ｇ、１０番シャフト１０Ｓでは１０．４５ｇ）。
【００３８】
５番シャフト５Ｓ〜１０番シャフト１０Ｓは、プリプレグＰ３とプリプレグＰ４の間に介在させて、シャフト先端部に巻かれる先端部分層である金属箔ＭＦ１を有している。
８番シャフト８Ｓ〜１０番シャフト１０Ｓは、金属箔ＭＦ１に加えて、プリプレグＰ４とプリプレグＰ５の間に介在させて、シャフト先端部に巻かれる先端部分層である金属箔ＭＦ２を有している。
金属箔ＭＦ１と金属箔ＭＦ２は、例えば、銅、ステンレス、アルミニウム等の材料から構成されている。
金属箔（５番シャフト５Ｓ〜７番シャフト７Ｓでは金属箔ＭＦ１、８番シャフト８Ｓ〜１０番シャフト１０Ｓでは金属箔ＭＦ１と金属箔ＭＦ２）は、クラブの番手が大きくなるに連れてその重量が増加する（５番シャフト５Ｓでは１．０７ｇ、６番シャフト６Ｓでは１．９１ｇ、７番シャフト７Ｓでは２．８７ｇ、８番シャフト８Ｓでは４．４１ｇ、９番シャフト９Ｓでは５．９９ｇ、１０番シャフト１０Ｓでは７．６９ｇ）。
【００３９】
金属円筒ＭＣ並びに金属箔ＭＦ１及び金属箔ＭＦ２を用いた技術によれば、シャフト重量とシャフト重心位置を、クラブの番手にかかわらず、比較的自由に設定することができ、従って、ゴルフクラブセット全体のクラブ慣性モーメントを略一定にする（揃える）ことができる。本出願人は、このような技術に関する発明について、特許出願を行い、特許権を取得している（例えば、特開２０１２−１１０４９８号公報、特開２０１３−２２０２８５号公報、特許第４８８００６３号公報等）。
【００４０】
図９は、本発明によるゴルフクラブセットのクラブ慣性モーメント、本発明によるゴルフクラブセットのヘッド単体のヘッド慣性モーメント、及び、従来のスチール製のゴルフクラブセットのクラブ慣性モーメントを比較可能に示した図である。
【００４１】
表３、表４は、従来のスチール製のゴルフクラブセットを示す表１、表２に対応する表である。
【表３】
0005909003.tif 000004
【表４】
0005909003.tif 000005
【００４２】
図９及び表３、表４に明らかなように、従来のスチール製のゴルフクラブセットは、シャフト重量Ｗｓとシャフト重心位置ＧＣＬがクラブの番手にかかわらず一定であり、クラブの番手が大きくなるに連れてクラブ慣性モーメントが減少している。これに対し、本発明によるゴルフクラブセットは、その番手が大きくなるに連れてシャフト重量が増加し且つシャフト重心位置がシャフト先端側に移動しており、クラブの全番手を通じてクラブ慣性モーメントが略一定となるように揃えられている（集約されている）。
【００４３】
図１０は、本発明によるゴルフクラブシャフトセットのシャフト慣性モーメント、従来のスチール製のゴルフクラブシャフトセットのシャフト慣性モーメント、及び、従来のカーボン製のゴルフクラブシャフトセットのシャフト慣性モーメントを比較可能に示した図である。
【００４４】
表５、表６は、従来のカーボン製のゴルフクラブセットを示す表１、表２に対応する表である。
【表５】
0005909003.tif 000006
【表６】
0005909003.tif 000007
【００４５】
図１０及び表５、表６に明らかなように、従来のスチール製のゴルフクラブシャフトセット及び従来のカーボン製のゴルフクラブシャフトセットは、クラブの番手が大きくなるに連れてシャフト慣性モーメントが減少している。これに対し、本発明によるゴルフクラブシャフトセットは、クラブの番手が大きくなるに連れてシャフト慣性モーメントが増加しており、従来のスチール製のゴルフクラブシャフトセット及び従来のカーボン製のゴルフクラブシャフトセットと全く逆の特性を示している。
【００４６】
図１１は、本発明の第１態様（上述の態様）によるゴルフクラブシャフトセットの各シャフトの重量、及び、本発明の第２態様によるゴルフクラブシャフトセットの各シャフトの重量を比較可能に示した図である。
【００４７】
表７、表８は、本発明の第２態様によるゴルフクラブセットを示す表１、表２に対応する表である。
【表７】
0005909003.tif 000008
【表８】
0005909003.tif 000009
【００４８】
本発明の第２態様によるゴルフクラブセットは、その番手が大きくなるに連れてシャフト重量が増加し且つシャフト重心位置がシャフト基端側（手元側）に移動する。そして番手毎のシャフト重量の増加量を大幅に引き上げることで、クラブの全番手を通じてクラブ慣性モーメントが略一定となるように揃えられている（集約されている）。
【００４９】
この第２態様では、第１態様と比べて、番手が大きいゴルフクラブシャフトひいてはゴルフクラブの重量が極端に大きくなり、番手が異なるゴルフクラブシャフトひいてはゴルフクラブの重量差が極端に大きくなってしまう。
すなわち、第１態様は、シャフト重量とシャフト重心位置の双方を番手毎に絶妙な調整量でシフトしていくので、第２態様と比べて、番手が大きいゴルフクラブシャフトひいてはゴルフクラブの重量を小さく抑え、番手が異なるゴルフクラブシャフトひいてはゴルフクラブの重量差を小さく抑えることができる（この点で第１態様が第２態様よりも優れていると言える）。
しかし、この第２態様であっても、クラブの全番手を通じてクラブ慣性モーメントが略一定となるように揃えられている（集約されている）ので、ゴルフクラブの番手にかかわらず、プレイヤーにとって好適な安定したスイング感覚を得ることができる。
【００５０】
以上の実施形態では、本発明のゴルフクラブセット及びゴルフクラブシャフトセットをアイアンクラブセット及びアイアンシャフトセットに適用した場合を例示して説明した。しかし、本発明のゴルフクラブセット及びゴルフクラブシャフトセットは、ウッドクラブセット及びウッドシャフトセットにも同様に適用可能である。
【００５１】
以上の実施形態では、本発明のゴルフクラブセット及びゴルフクラブシャフトセットを、５番アイアンから１０番アイアンまでの６本のアイアンクラブ及びアイアンシャフトに適用した場合を例示して説明した。しかし、本発明のゴルフクラブセット及びゴルフクラブシャフトセットは、番手が異なる複数本のゴルフクラブ及びゴルフクラブシャフトを有する限りにおいて適用可能である。例えば、５番アイアンから１０番アイアンまでの６本のアイアンクラブ及びアイアンシャフトに加えて（あるいは代えて）、０番アイアンから４番アイアンまでの５本のアイアンクラブ及びアイアンシャフトの一部または全部を使用してもよい。
【００５２】
以上の実施形態では、複数本のゴルフクラブシャフトのシャフト先端側に、その番手が大きくなるに連れて重量が増加する金属円筒と金属箔を埋め込んだ場合を例示して説明したが、金属円筒と金属箔のいずれか一方だけを埋め込む態様も可能である。あるいは、５番アイアンと６番アイアンには、金属円筒と金属箔のいずれも埋め込まず、７番アイアン〜１０番アイアンには、その番手が大きくなるに連れて重量が増加する金属円筒と金属箔の少なくとも一方を埋めむような態様も可能である。
【符号の説明】
【００５３】
５Ｉ  ５番アイアン
５Ｓ  ５番シャフト
６Ｉ  ６番アイアン
６Ｓ  ６番シャフト
７Ｉ  ７番アイアン
７Ｓ  ７番シャフト
８Ｉ  ８番アイアン
８Ｓ  ８番シャフト
９Ｉ  ９番アイアン
９Ｓ  ９番シャフト
１０Ｉ（Ｐ）  １０番アイアン（ピッチング）
１０Ｓ  １０番シャフト
ＭＣ  金属円筒
ＭＦ１  ＭＦ２  金属箔
【要約】
【課題】ゴルフクラブの番手にかかわらず、プレイヤーにとって好適な安定したスイング感覚を得ることができるゴルフクラブセット及びゴルフクラブシャフトセットを得る。
【解決手段】番手が異なる複数本のゴルフクラブを有するゴルフクラブセットにおいて、前記複数本のゴルフクラブのうちの１本を選択して基準ゴルフクラブとしたとき、当該基準ゴルフクラブと残りの任意のゴルフクラブが次の条件式（１）を満足することを特徴とするゴルフクラブセット。
（１）０．９９５Ｘ＜Ｙ＜１．００５Ｘ
但し、
Ｘ：基準ゴルフクラブのクラブ慣性モーメント（ＭＯＩ［ｋｇ・ｃｍ2］）、
Ｙ：残りの任意のゴルフクラブのクラブ慣性モーメント（ＭＯＩ［ｋｇ・ｃｍ2］）。
【選択図】図９【図１】
0005909003.tif 000010
【図２】
0005909003.tif 000011
【図３】
0005909003.tif 000012
【図４】
0005909003.tif 000013
【図５】
0005909003.tif 000014
【図６】
0005909003.tif 000015
【図７】
0005909003.tif 000016
【図８】
0005909003.tif 000017
【図９】
0005909003.tif 000018
【図１０】
0005909003.tif 000019
【図１１】
0005909003.tif 000020